(57)【要約】      （修正有）【課題】スライダーがジッパーから脱落するのを防止するジッパーの止め具を提供する。【解決手段】ジッパーの止め具は、ジッパーの端部に取り付けられ、Ｌ字状で、取付突出部と、取付突出部の近位端に横方向に形成された制限突出部とを有する。取付突出部がスライダー内に配置されたとき、制限突出部及び制限突出部の傾斜した上面は、止め具がスライダーの溝の中にそれ以上入ることを防止する。また、止め具の角部及び縁部は、止め具がスライダー内で滑らかに摺動することができるように、全て丸くされている。【選択図】図１
0003163565.tif 000002
【実用新案登録請求の範囲】
【請求項１】
Ｌ字状のジッパーの止め具であって、遠位端及び近位端を有する取付突出部と、前記取付突出部の近位端に横方向に形成されかつ前記取付突出部より広い制限突出部とを有する、ジッパーの止め具。
【請求項２】
前記取付突出部の前記近位端部は該取付突出部の前記遠位端より広い、請求項１に記載のジッパーの止め具。
【請求項３】
前記取付突出部は外側面を有し、
前記制限突出部は下側側面を有し、
前記止め具は、前記取付突出部の前記外側面と前記制限突出部の下側側面との間に滑らかに凹面に形成された案内面を有する、請求項１に記載のジッパーの止め具。
【請求項４】
前記取付突出部は外側面を有し、
前記制限突出部は下側側面を有し、
前記止め具は、前記取付突出部の前記外側面と前記制限突出部の下側側面との間に滑らかに凹面に形成された案内面を有する、請求項２に記載のジッパーの止め具。
【請求項５】
前記制限突出部は、遠位端と、近位端と、前記制限突出部の前記近位端から前記制限突出部の前記遠位端まで上方に傾斜した上面とを有する、請求項１ないし４のいずれか１項に記載のジッパーの止め具。
【請求項６】
前記取付突出部は、該取付突出部の遠位端から前記取付突出部の前記近位端まで上方に傾斜した上面を有し、前記制限突出部の傾斜した上面に滑らかに融合している、請求項５に記載のジッパーの止め具
【請求項７】
丸められた複数の角部と、丸められた複数の縁部とを有する、請求項６に記載のジッパーの止め具。
【考案の詳細な説明】
【技術分野】
【０００１】
本考案は、ジッパーの止め具に関し、特にスライダーがジッパーから脱落するのを防止すべく、ジッパーの端部において他の止め具と対をなして配置された止め具に関する。
【背景技術】
【０００２】
ジッパーは、例えば、衣服、バック及び同様のものなど日用品として広く使用されている。ジッパーは、２つのテープと、スライダーと、それぞれが前記テープに沿って配置されかつ前記スライダーを貫いて取り付けられている２列の歯と、該歯の列の端部に隣接する前記テープに取り付けられた４つの止め具とを有する。前記スライダーが前記歯の前記列に沿って摺動するように引っ張られたとき、前記歯の一方の列は、該歯の他方の列に係合し、又は前記歯の他方の列から離れる。前記止め具が前記スライダーに接するとき、該スライダーの摺動は止められる。
【０００３】
しかし、従来のジッパーの止め具は、実質的に長方形であるため、前記スライダーを強制的に引っ張ったとき、従来の止め具は、前記スライダー内へ摺動し、該スライダーに引っかかり、前記スライダーは予期した位置に止まらない。また、前記スライダーは普通金属で作られ、従来の止め具はプラスチックで作られているため、従来の止め具は、容易にすり減らされ、その結果、より容易に前記スライダーに引っかかる。
【０００４】
さらに、従来の止め具は、超音波溶接法により前記テープに形成されているため、従来の止め具と前記テープとの間の結合は不安定であり、従来の止め具は、前記テープから容易に脱落する。
【０００５】
本考案は、前記の問題点を改善するジッパーの止め具を提供する。
【考案の概要】
【考案が解決しようとする課題】
【０００６】
本考案の目的は、スライダーの止め具を提供することにある。前記止め具は、ジッパーの端部に取り付けられ、該止め具はＬ字状で、取付突出部と、該取付突出部の近位端に横方向に形成された制限突起とを有する。
【０００７】
前記止め具は、前記ジッパーの歯の対応する列の端部に取り付けられ、該ジッパーの歯の対応する列の端部に一体化されている。その結果、前記止め具は、耐久性及び構造強度を向上させる。
【０００８】
前記止め具の前記取付突出部がスライダー内に配置されたとき、前記制限突出部及び該制限突出部の傾斜した上面は、前記スライダーの溝に前記止め具がそれ以上入ることを防止し、前記スライダーは実質的に止まる。また、前記止め具の角部及び縁部は、前記止め具が前記スライダーに滑らかに動くことができるように、全て丸くされている。
【０００９】
本発明の他の目的、利点及び新規の特徴は、添付の図面に関する以下の詳細な説明からより明らかになる。
【図面の簡単な説明】
【００１０】
【図１】本考案に係るジッパーの止め具の斜視図。
【図２】図１のジッパーの止め具の拡大斜視図。
【図３】図１のジッパーの止め具の拡大平面図。
【図４】図１のジッパーの止め具の正面図
【考案を実施するための形態】
【００１１】
図１及び図３を参照するに、ジッパーは、２つのテープ４０と、スライダー２０と、２列の歯３０とを有する。テープ４０は、衣服の２つの対応する縁部にそれぞれ縫い付けられている。スライダー２０は、２つの溝２５と、２つの側壁２４と、仕切り壁２３とを有する。溝２５はスライダー２０を貫いて長手方向に設けられている。側壁２４は、それぞれがスライダー２０の後端部に隣接する２つの向かい合った側部に形成されている。仕切り壁２３は、スライダー２０の前端部に長手方向へ形成されている。歯３０の前記列は、それぞれがテープ４０に沿って配置され、それぞれがスライダー２０の溝２５を貫いて取り付けられている。歯３０の前記列は、スライダー２０が前記ジッパーの閉鎖端の方へ引っ張られるとき、互いに係合し、又は前記スライダーが前記ジッパーの開放端の方へ引っ張られるとき、互いに離れる。
【００１２】
図２及び図４を参照するに、本考案に係る止め具１０は、テープ４０の１つに取り付けられている。止め具１０は、歯３０の対応する列の端部に取り付けられ、該歯の対応する列の端部に一体化されている。その結果、止め具１０は、耐久性及び構造強度を向上させる。止め具１０は実質的にＬ字状で、該止め具は、複数の角部と、複数の縁部と、取付突出部１０１と、制限突出部１０２と、案内面１０３とを有する。
【００１３】
止め具１０の前記角部及び前記縁部は、全て丸められている。
【００１４】
取付突出部１０１は、テープ４０の縁部に沿って長手方向に配置され、歯３０の対応する列の前記端部に取り付けられ、該歯の対応する列の前記端部に一体化されている。取付突出部１０１は、遠位端と、近位端と、傾斜した上面１０４と、外側面とを有する。取付突出部１０１の前記近位端は、該取付突出部の前記遠位端より広い。取付突出部１０１の傾斜した上面１０４は、該取付突出部の前記遠位端から前記取付突出部の前記近位端まで上方に傾斜している。
【００１５】
制限突出部１０２は、取付突出部１０１の前記近位端の横方向に形成され、該取付突出部より広い。制限突出部１０２は、遠位端と、近位端と、傾斜した上面１０５と、下側側面とを有する。制限突出部１０２の前記遠位端は、スライダー２０の溝２５の高さより大きい厚さを有する。制限突出部１０２の傾斜した上面１０５は、前記制限突出部の前記近位端から該制限突出部の前記遠位端まで上方に傾斜し、好ましくは、取付突出部１０１の傾斜した上面１０４に滑らかに融合している。
【００１６】
案内面１０３は、取付突出部１０１の前記外側面と制限突出部１０２の下側側面との間で滑らかに凹面に形成されている。
【００１７】
開示された前記ジッパーの前記止め具は、次の効果を有する。図３を参照するに、スライダー２０が前記ジッパーの閉鎖端に引っ張られたとき、止め具１０の取付突出部１０１は、スライダー２０の対応する溝２５内へ摺動する。制限突出部１０２はスライダー２０の溝２５より広いため、スライダー２０の対応する側壁２４が止め具１０の制限突出部１０２に隣接すると、スライダー２０は摺動することを止める。
【００１８】
図４を参照するに、制限突出部１０２は傾斜した上面１０５を有し、制限突出部１０２の前記遠位端の厚さはスライダー２０の溝２５の前記高さより大きいため、止め具１０の取付突出部１０１がスライダー２０に配置されたとき、制限突出部１０２は前記スライダーの溝２５内にそれ以上入らず、その結果、前記スライダーは実質的に止まる。また、止め具１０の前記角部及び前記縁部は全て丸められているので、前記止め具は、スライダー２０内を滑らかに動くことができる。
【００１９】
本考案の様々な特徴や利点を詳細な構造や機能とともに上記にて説明してきたが、開示は一例にすぎない。変更すること、特に形状や大きさ、部品の配置を変更することは、添付の請求項が表現する言葉の広い解釈により定められる範囲を超えない限り可能である。
【符号の説明】
【００２０】
１０            止め具
２０            スライダー
２３            仕切り壁
２４            側壁
２５            溝
３０            歯
４０            テープ
１０１          取付突出部
１０２          制限突出部
１０３          案内面
１０４、１０５  傾斜した上面
【図１】
0003163565.tif 000003
【図２】
0003163565.tif 000004
【図３】
0003163565.tif 000005
【図４】
0003163565.tif 000006